(57)【要約】      （修正有）【課題】量子波を被照射物全体に、効率良く照射することができ、肉、魚、野菜の鮮度を保持したり、プラスチックの性質を変化させたりすることができる量子波の照射室を提供する。【解決手段】前面扉２６で出入れ自在の直方体状の量子照射室２に、アンテナ５、３によって伝搬された量子波や量子波発生器４で発生された量子波を与える。量子照射室２を構成するパネル２７〜３０は、金属筐体に、半導体パウダーが練り込まれた樹脂パネルを内張りして構成される。【選択図】図１
2018006444.tif 000002
【特許請求の範囲】
【請求項１】
直方体状の金属筐体と、
樹脂に、量子波を反射する半導体パウダーが練り込まれて成り、前記金属筐体の内側に貼付けられる樹脂パネルとを含み、
前記金属筐体および樹脂パネルが形成する内部空間に収容された被照射物に対して、外部から前記金属筐体に与えられた量子波が前記樹脂パネルから輻射および反射を行うことで、該量子波が前記被照射物に照射されて前記被照射物を変性することを特徴とする量子照射室。
【請求項２】
前記金属筐体および樹脂パネルは、一側面が開閉可能に形成され、前記一側面を閉じることで、前記内部空間を密閉空間とすることを特徴とする請求項１記載の量子照射室。
【請求項３】
前記金属筐体および樹脂パネルは、一側面および底面が開放されて、３つの側面および天面を有することを特徴とする請求項１記載の量子照射室。
【請求項４】
前記金属筐体は、外来波を遮断する外殻と、該外殻から電気的に絶縁されて前記量子波が与えられる内殻とを備えて構成されることを特徴とする請求項１〜３の何れか１項に記載の量子照射室。
【請求項５】
前記半導体パウダーは、２〜２０重量％、特に好ましくは５重量％含有されていることを特徴とする請求項１〜４の何れか１項に記載の量子照射室。
【請求項６】
前記半導体パウダーが５重量％含有されている場合、前記樹脂パネルは２ｍｍ以上の板厚に形成されることを特徴とする請求項５記載の量子照射室。
【請求項７】
前記半導体パウダーは、金属酸化物および／またはケイ酸塩化合物であることを特徴とする請求項１〜６の何れか１項に記載の量子照射室。
【請求項８】
前記金属酸化物は、酸化亜鉛、酸化チタン、酸化ジルコニウム、ケイ酸マグネシウム、酸化アルミニウムの少なくとも１つを含むことを特徴とする請求項７記載の量子照射室。
【請求項９】
前記樹脂には、導電性を持たせるための金属パウダーが、さらに練り込まれていることを特徴とする請求項１〜８の何れか１項に記載の量子照射室。
【請求項１０】
前記半導体パウダーおよび金属パウダーは、１０〜１００μｍ、特に好ましくは３０〜５０μｍの粉体であることを特徴とする請求項９記載の量子照射室。
【発明の詳細な説明】
【技術分野】
【０００１】
本発明は、被照射物に量子波を照射して、該被照射物を変性するために用いられる新規な量子照射室に関する。
【背景技術】
【０００２】
従来から、被照射物にマイクロ波や電磁波などを照射して、変性することが行われている。特許文献１は、本件発明者の提案によるもので、量子波を食用油に照射することで、該食用油を変性させ、酸化を防止している。
【先行技術文献】
【特許文献】
【０００３】
【特許文献１】特許第５７２７１０４号公報
【発明の概要】
【発明が解決しようとする課題】
【０００４】
上述の特許文献１は、電極を食用油に浸漬させたり、食用油を収容している金属筐体に電極を接触させ、その電極に所定の負の変動電位を与えることで、前記電極や金属筐体を構成する素材原子の外殻電子軌道に変動を生じさせ、それに基づく陽子の振動によって量子波を発生させている。したがって、特許文献１の従来技術は、食用油を変性させて、長持ちさせられる優れた技術であるが、被照射物に制約があるとともに、構成や作業に、簡単とは言い切れない面がある。
【０００５】
本発明の目的は、量子波による被照射物の変性を行うにあたって、広範な物体に、簡単に照射を行うことができる量子照射室を提供することである。
【課題を解決するための手段】
【０００６】
本発明の量子照射室は、直方体状の金属筐体と、樹脂、好ましくはＡＢＳに、量子波を反射する半導体パウダーが練り込まれて成り、前記金属筐体の内側に貼付けられる樹脂パネルとを含み、前記金属筐体および樹脂パネルが形成する内部空間に収容された被照射物に対して、外部から前記金属筐体に与えられた量子波が前記樹脂パネルから輻射および反射を行うことで、該量子波が前記被照射物に照射されて前記被照射物を変性することを特徴とする。
【０００７】
上記の構成によれば、内部に量子波を輻射する金属筐体に、前記量子波を反射する半導体パウダーが練り込まれた樹脂を内張りして、内部に変性すべき被照射物を収容する量子照射室（量子照射チャンバー）を設ける。前記被照射物は、たとえば食物や生物、工業製品である。本件発明者の実験結果では、半導体パウダーは、高い効率で量子波を反射するので、照射室（チャンバー）に内張りされる材料としては好適である。したがって、金属筐体に、外部から量子波が与えられると、外部（方）への放射も行われるが、内部（方）は前記半導体パウダーを含む樹脂による繰返しの反射によって、量子波を封じ込めることができる。
【０００８】
そして、照射室（チャンバー）の内部空間に収容した被照射物に対して、別途設けた量子波発生器で発生された量子波を、該照射室（チャンバー）の金属筐体から輻射させる。そうすると、その量子波は、前記被照射物に照射され、さらに被照射物を透過したり被照射物で反射されたりした量子波は、直方体状の照射室（チャンバー）の壁面の半導体パウダーで反射されて、再び被照射物に照射されることになる。
【０００９】
こうして、被照射物、特に水分を含んだ食品や植物の内部に到達し易いと言う特徴を有する量子波を、被照射物に効率良く照射することができる。これによって、被照射物の原子核の変性を、効率的に行うことができる。変性の結果、被照射物が、動物（肉、魚等）や植物（野菜、果物、生花等）の場合には、それらを活性化したり、鮮度を保持したり、成長を促進したりすることができ、樹脂など工業製品の場合には、紫外線に強くなったり、植物などを長持ちさせたり等、性質を変化することができる。量子としては、光子、電子、クウォーク、ニュートリノ等が挙げられる。なお、本件明細書では、各面が相互に等しい正方形で構成される立方体は、直方体の１種類として、直方体の概念に包含されるものとする。
【００１０】
また、本発明の量子照射室では、前記金属筐体および樹脂パネルは、一側面が開閉可能に形成され、前記一側面を閉じることで、前記内部空間を密閉空間とすることを特徴とする。
【００１１】
上記の構成によれば、変性すべき被照射物としては、前記の食物や生物、工業製品などであり、人を収容する場合に懸念される密閉空間の弊害は無い。そため、密閉空間とすることで、量子波を外部に漏れ無く、効率的に照射することができる。また、直方体状の照射室（チャンバー）において、その一側面を開閉して前記内部空間に被照射物を出し入れすることで、出し入れを容易に行うことができる。
【００１２】
さらにまた、本発明の量子照射室では、前記金属筐体および樹脂パネルは、一側面および底面が開放されて、３つの側面および天面を有することを特徴とする。
【００１３】
上記の構成によれば、前述の密閉空間ではないものの、その分、一側面が開放していることで、被照射物の出し入れが容易で、サイクルタイムを短くすることができる。また、照射中に、内部の様子を観察することもできる。さらに、底面に金属筐体や樹脂パネルが設けられていないことで、フォークリフトで直接乗り入れたり、レールやコンベアを敷設したりすることもでき、出し入れがさらに容易である。
【００１４】
また、本発明の量子照射室では、前記金属筐体は、外来波を遮断する外殻と、該外殻から電気的に絶縁されて前記量子波が与えられる内殻とを備えて構成されることを特徴とする。
【００１５】
上記の構成によれば、照射室（チャンバー）内への外来波の影響を抑えることができるとともに、内殻から外部へ放射された量子波を外殻によって再び内殻側へ反射することができ、量子波の利用効率を向上することができる。
【００１６】
さらにまた、本発明の量子照射室では、前記半導体パウダーは、２〜２０重量％、特に好ましくは５重量％含有されていることを特徴とする。
【００１７】
上記の構成によれば、本件発明者の実験結果では、半導体パウダーの濃度に対して、量子波の反射率は、２重量％程度で飽和を始めるので、最小の含有量はこの２重量％とすることで、コストパフォーマンスを高めることができる。そして、濃度ばらつきなどを考慮して、最適値は、５重量％とするのがよい。一方、最大値は、２０重量％でほぼ完全に飽和するので、材料費を抑え、また樹脂の強度低下を抑えるためにも、この２０重量％とするのがよい。
【００１８】
また、本発明の量子照射室では、前記半導体パウダーが５重量％含有されている場合、前記樹脂パネルは２ｍｍ以上の板厚に形成されることを特徴とする。
【００１９】
上記の構成によれば、樹脂パネルが厚ければ、反射の効果が大きくなるが、コストが掛る。
【００２０】
したがって、樹脂パネルを２ｍｍ以上の板厚とすることで、半導体パウダーが５重量％含有されている場合における所期の反射率を得ることができる。また、２ｍｍとすることで、コストパフォーマンスを高めることができる。
【００２１】
さらにまた、本発明の量子照射室では、前記半導体パウダーは、金属酸化物および／またはケイ酸塩化合物であることを特徴とする。
【００２２】
上記の構成によれば、本件発明者の実験結果では、半導体パウダーとしては、金属酸化物やケイ酸塩化合物が、量子波を反射させる効果が大きい。前記金属酸化物としては、酸化亜鉛、酸化チタン、酸化ジルコニウム、ケイ酸マグネシウム、酸化アルミニウムの少なくとも１つを含むことが好ましい。また、前記金属酸化物やケイ酸塩化合物は、複数種類が組合わせて用いられることが好ましい。
【００２３】
また、本発明の量子照射室では、前記樹脂には、導電性を持たせるための金属パウダーが、さらに練り込まれていることを特徴とする。
【００２４】
上記の構成によれば、前記樹脂には、金属酸化物やケイ酸塩化合物などの半導体パウダーに、導電性を持たせるための金属パウダーが、さらに練り込まれていることで、前記量子波を反射させる効果をより大きくすることができる。
【００２５】
さらにまた、本発明の量子照射室では、前記半導体パウダーおよび金属パウダーは、１０〜１００μｍ、特に好ましくは３０〜５０μｍの粉体であることを特徴とする。
【００２６】
上記の構成によれば、前記量子波を反射させる効果をより大きくすることができる。
【発明の効果】
【００２７】
本発明の量子照射室は、以上のように、量子波を輻射する直方体状の金属筐体に、高い効率で量子波を反射する半導体パウダーが練り込まれた樹脂を内張りして、内部空間に被照射物を収容する。
【００２８】
それゆえ、被照射物としての食物や生物、工業製品などに照射され、さらに該被照射物を透過したり該被照射物で反射されたりした量子波は、樹脂の半導体パウダーで反射されて再び該被照射物に照射されることになり、該被照射物の全体に、効率良く照射し、性質を変化することができる。
【図面の簡単な説明】
【００２９】
【図１】本発明の実施の一形態に係る量子照射システムの全体構成を示す正面図である。
【図２】前記量子照射システムに用いられる量子照射室の平面図である。
【図３】前記量子照射室の背面図である。
【図４】前記量子照射室を構成するパネルの構造を示す断面図である。
【図５】量子波発生器の電気回路図である。
【図６】本発明の実施の他の形態に係る量子照射システムに用いられる量子照射室の斜視図である。
【発明を実施するための形態】
【００３０】
（実施の形態１）
図１は本発明の実施の一形態に係る量子照射システム１の全体構成を示す図であり、図２はその量子照射システム１に用いられる量子照射室２の平面図であり、図３は量子照射室２の背面図である。この量子照射システム１は、量子照射室２と、量子波発生器としてのアンテナ３と、他の量子波発生器４と、量子波発振器としてのアンテナ５とを備えて構成される。
【００３１】
量子照射室２は、直方体状に形成され、その内壁面２ａが量子波を輻射および反射する材料から成る大型の照射室（チャンバー）であり、図示しない被照射物を収容する。この量子照射室２内には、アンテナ３および量子波発生器４で発生された量子波が放射される。放射された量子波は、被照射物に照射され、さらに被照射物を透過したり被照射物で反射されたりした量子波は、量子照射室２内で繰返し反射されて再び被照射物に照射されることになる。
【００３２】
こうして、被照射物、特に水分を含んだ食品や植物の内部に到達し易いと言う特徴を有する量子波を、被照射物の周囲から効率良く照射することができる。これによって、被照射物の原子核の変性を、効率的に行うことができる。変性の結果、被照射物が、動物（肉、魚等）や植物（野菜、果物、生花等）の場合には、それらを活性化したり、鮮度を保持したり、成長を促進したり（苗などの場合）することができ、樹脂など工業製品の場合には、紫外線に強くなったり、植物などを長持ちさせたり（包装に用いた場合）等、性質を変化することができる。量子としては、光子、電子、クウォーク、ニュートリノ等が挙げられる。
【００３３】
量子照射室２は、被照射物を、パレットに搭載状態のまま、フォークリフトでそのまま収容できるように、たとえば、外寸は、幅Ｗ１＝２１００ｍｍ、高さＨ１＝２８００ｍｍ、奥行きＤ１＝２１００ｍｍであり、内寸は、幅Ｗ２＝１８００ｍｍ、高さＨ２＝２３５０ｍｍ、奥行きＤ２＝１８００ｍｍである。大略的に、量子照射室２は、４隅の支柱２１と、上フレーム２２と、上スペーサ２３と、下フレーム２４と、脚台２５と、前面扉２６と、側パネル２７と、背面パネル２８と、天井パネル２９と、床面パネル３０とを備えて構成される。
【００３４】
以下、量子照射室２における詳細構造の一例を説明する。支柱２１は、板厚４ｍｍで１５０ｍｍ角の亜鉛メッキのステンレスパイプから成る。上フレーム２２および上スペーサ２３共、支柱２１と同様のステンレスパイプを、前記支柱２１を含んで正方形に組上げて構成される。下フレーム２４は、支柱２１と同様のステンレスパイプを、前記支柱２１を含んで正方形に組上げて構成される外側フレーム２４１と、その内側で、板厚３ｍｍで７５ｍｍ角の亜鉛メッキのステンレスパイプを十字に組上げられて成る内側フレーム２４２とを備えて構成される。脚台２５は、支柱２１と同様のステンレスパイプを、前ならびに左右および中央のヨの字形に組上げて構成される。前記十字に組上げられる内側フレーム２４２は、前記パレットの荷重を受け、脚台２５を介して床面へ伝える。
【００３５】
前面扉２６は、板厚３ｍｍ、幅Ｗ３＝９００ｍｍ、高さＨ３＝２２００ｍｍのアルミパネルから成る観音開きの扉で、前側の左右の支柱２１１の内側に、図示しない蝶番によって取付けられる。この前面扉２６の突き合わせ部となる遊端部付近において、上下方向の略中央位置には、把手２６０が取付けられている。側パネル２７および背面パネル２８は、後述するパネル構造で、幅Ｗ３，Ｄ３＝９００ｍｍ、高さＨ３＝２２００ｍｍのパネルを、各面２枚横並びに配置して構成される。天井パネル２９は、側パネル２７および背面パネル２８と同様のパネル構造で、幅Ｗ３＝９００ｍｍ、奥行きＤ２＝１８００ｍｍのパネルを、２枚横並びに配置して構成される。床面パネル３０は、天井パネル２９と同様のパネル構造および寸法で、厚さが半分のパネルを、２枚横並びに配置して構成される。これらのパネル２７〜３０には、板厚１．６ｍｍ、２０．５ｍｍ角の亜鉛メッキのステンレスパイプから成る補強材１９が、適宜、その表面に配置されている。
【００３６】
図４は、側パネル２７、背面パネル２８および天井パネル２９に使用される本発明の実施の一形態に係るパネル２０の構造を示す断面図である。図４は、アンテナ３との接続部分を説明するために、天井パネル２９の幅方向中央部付近の断面を示している。残余の側パネル２７および背面パネル２８の構造は、この天井パネル２９と同一であり、底面パネル３０は後述の空間（スペース）が薄いだけである。
【００３７】
このパネル２０は、量子波を輻射することができる金属筐体２０１の内側に、量子波を反射することができる樹脂パネル２０２が貼付けられて構成される。樹脂パネル２０２の樹脂２０２１は、好ましくはＡＢＳであり、その樹脂２０２１に、量子波を反射する半導体パウダー２０２２が練り込まれ、成型されて該樹脂パネル２０２が構成される。本件発明者の実験結果では、半導体パウダー２０２２は、高い効率で量子波を反射するので、量子照射室２に内張りされる材料としては好適である。樹脂パネル２０２は、１００ｍｍ×１００ｍｍ、または５０ｍｍ×５０ｍｍの正六角形に形成され、上記の照射室（チャンバー）の内寸の場合、約２３００枚が貼付けられる。
【００３８】
金属筐体２０１は、外殻２０１１と、該外殻２０１１から電気的に絶縁されて量子波が与えられる内殻２０１２とを備えて構成される。導電性を有する外殻２０１１および内殻２０１２は、錫、亜鉛、ＳＵＳ３０４或いはアルミなどの金属から成る。外殻２０１１は、強度を得るために、相対的に肉厚な、たとえば３ｍｍの金属板で形成される。内殻２０１２は、図示しないスペーサによって、外殻２０１１と前記空間（スペース）Ｓを開けることで電気的に絶縁され、相対的に薄肉、たとえば１ｍｍの金属板で形成される。支柱２１などの１５０ｍｍ角のステンレスパイプから、補強材１９の２０．５ｍｍ角のステンレスパイプ２本分の幅を減算し、前記外殻２０１１の厚み３ｍｍ、内殻２０１２の厚み１ｍｍ、樹脂パネル２０２の厚み２ｍｍで、前記空間（スペース）Ｓは１０３ｍｍである。底面パネル３０の場合、内側フレーム２４２が７５ｍｍ角のステンレスパイプであるので、前記空間（スペース）Ｓは６９ｍｍである。
【００３９】
そして、内殻２０１２には、後述するように量子テレポーテーションでアンテナ３によって受信された量子波が、ケーブル３１を介して与えられる。また、内殻２０１２には、量子波発生器４で発生された量子波が図示しないケーブルを介して与えられる。アンテナ３は、天井パネル２９の中央部に設置されたカバー３５内に収納される。前記カバー３５は、金属製で、アンテナ３を収納することで、該アンテナ３と電気的に導通する。カバー３５は、外殻２０１１とは、ゴムシート３３などで電気的に絶縁され、その外殻２０１１に形成された接続孔３６を挿通したケーブル３１が、該カバー３５の底面と、内殻２０１２の天面とを電気的に接続する。
【００４０】
上述のように構成される量子照射室２において、本件発明者の実験結果によれば、半導体パウダー２０２２の濃度に対して、量子波の反射率は、２重量％程度で飽和を始めるので、最小の含有量は、この２重量％とすることが好ましい。そうすることで、コストパフォーマンスを高めることができる。そして、濃度ばらつきなどを考慮して、最適値は、５重量％とするのが、特に好ましい。一方、最大値は、２０重量％でほぼ完全に飽和するので、材料費を抑え、また樹脂２０２１の強度低下を抑えるためにも、この２０重量％とするのが好ましい。
【００４１】
樹脂パネル２０２は、上述のように、ＡＢＳなどの樹脂２０２１に半導体パウダー２０２２が練り込まれ、成型によって形成される。この樹脂パネル２０２が、厚ければ反射の効果が大きくなるが、コストが掛る。そこで、樹脂パネル２０２を２ｍｍ以上の板厚とすることで、半導体パウダー２０２２が前記５重量％含有されている場合における所期の反射率を得ることができる。また、２ｍｍとすることで、コストパフォーマンスを高めることができる。
【００４２】
また、本件発明者の実験結果によれば、半導体パウダー２０２２としては、金属酸化物やケイ酸塩化合物が、量子波を反射させる効果が大きく、好適である。前記金属酸化物としては、酸化亜鉛、酸化チタン、酸化ジルコニウム、ケイ酸マグネシウム、酸化アルミニウムの少なくとも１つを含むことが好ましい。また、前記金属酸化物やケイ酸塩化合物は、複数種類が組合わせて用いられることが好ましい。さらに、上記の金属酸化物やケイ酸塩化合物は、精製された鉱物ではなく、天然鉱物のままで、それらを含む鉱石を粉砕して使用してもよい。
【００４３】
さらに、樹脂２０２１には、導電性を持たせるための金属パウダーが練り込まれていることが好ましい。金属パウダーとしては、たとえば錫や亜鉛の粉末である。このように半導体パウダー２０２２に金属パウダーが練り込まれていることで、樹脂パネル２０２が量子波を反射する効果をより大きくすることができる。そして、これらの半導体パウダー２０２２および金属パウダーは、１０μｍ以上、１００μｍ以下、特に好ましくは３０μｍ以上、５０μｍ以下（たとえば３２５メッシュ）の粉体とすることで、樹脂パネル２０２が量子波を反射する効果をより大きくすることができる。
【００４４】
そして、金属筐体２０１は、外来波を遮断する外殻２０１１と、該外殻２０１１から電気的に絶縁されて量子波が与えられる内殻２０１２とを備えて構成されるので、照射室（チャンバー）内への外来波の影響を抑えることができるとともに、内殻２０１２から外部へ放射された量子波を、外殻２０１１によって、再び内殻２０１２側へ反射することができ、量子波の利用効率を向上することができる。
【００４５】
以下に、本実施形態の量子照射システム１での量子波の照射方法について詳述する。本実施形態では、量子波は、アンテナ３と、量子波発生器４とによって発生され、上述のように構成される量子照射室２を用いて、極めて効率的かつ相乗効果を持って、被照射物に照射されることになる。
【００４６】
先ず、第１の量子波発生器としてのアンテナ３は、量子波発振器で発振され、アンテナ５から送信された量子波を、前記量子テレポーテーション現象を利用して、超光速で受信し、ケーブル３１を介して内殻２０１１の内壁面２ａから、量子照射室２内に再放射させる。再放射される量子としては、前記光子、電子、クウォーク、ニュートリノ等である。
【００４７】
前記量子テレポーテーション現象を利用するには、受信を行うアンテナ３は、送信を行うアンテナ５と、同種の金属材料で、小型の相似形に形成されることが好ましい。これは、本件発明者の実験結果では、送信側のアンテナ５と受信側のアンテナ３との金属材料が異なると、量子エネルギーの伝搬効率が悪く、また送信側のアンテナ５と受信側のアンテナ３との形状が異なると、量子エネルギーは、殆ど伝搬されなくなるためである。前記金属材料としては、前記の錫、亜鉛、ＳＵＳ３０４或いはアルミなどである。中でも、特にアルミが好ましい。こうして、送信側のアンテナ５と受信側のアンテナ３とを同種の金属材料で相似形に形成することで、量子エネルギーを効率的に伝搬することができる。
【００４８】
さらに、本件発明者の実験結果によれば、相似のアンテナ３，５は、六角筒状であると、量子エネルギーの伝搬効率が最も高い。特に、前記六角筒を半割れにし、３つの壁面を有する一対の部材の組合わせで実現する場合、前記部材は、矩形の金属板を３等分する位置で１２０度折り曲げることで、容易に形成することができる。
【００４９】
ここで、後述のような他の量子波発生器４によって、量子照射室２の設置場所において、量子波を発生し、量子照射室２に与えることは可能である。しかしながら、前記の量子テレポーテーション現象を利用することで、距離および時間に拘わりなく、量子照射室２の外部に設けられた専用で大掛かりな量子波発振器で発生されたエネルギーの大きな量子波を、同時に複数の量子照射室２内に輻射することができる。
【００５０】
次に、第２の量子波発生器としての量子波発生器４は、たとえば図５で示されるように構成される。図５の量子波発生器４は、交流電圧を発生する交流電源４１と、前記交流電圧に、外部電磁波から誘導された電圧を重畳するＬＣ並列共振回路４２と、前記重畳された電圧を整流して、負の成分を前記量子照射室２の内壁面２ａ（内殻２０１１）に与える整流素子４３とを備えて構成される。整流素子４３からの出力は、ケーブル４４を介して、前記内殻２０１１に与えられる。
【００５１】
交流電源４１は、可変周波数で交流を発生し、その周波数範囲は、２Ｈｚ以上、２００Ｈｚ以下であり、好ましくは１００Ｈｚである。また、交流電源４１の出力電圧は、２５Ｖ以上、２５０Ｖ以下、好ましくは１００Ｖである。ＬＣ並列共振回路４２は、前記外部電磁波から共振周波数成分を抽出する。そのＬＣ値は０．０３×１０-9〜２．０×１０-9、したがって共振周波数は、３５０Ｈｚ以上、３０ｋＨｚ以下である。そして、交流電源４１の交流電圧に、外部電磁波からＬＣ並列共振回路４２に誘導された電圧が重畳された電圧を整流素子４３で整流して、負の成分を量子照射室２の内殻２０１１に与えることで、該内殻２０１１から、前記光子、電子、クウォーク、ニュートリノ等の量子が輻射される。なお、整流素子４３を設けずに、全波の成分を内殻２０１１に与えても、量子は輻射されるものの、本件発明者の実験結果によれば、輻射量は大幅に減少してしまうので、負の成分だけを与えることが好ましい。
【００５２】
この量子波発生器４によって、量子照射室２の設置場所において、量子波を発生することができる。また、このような低周波電圧で、前記量子テレポーテーション現象によって量子照射室２の内壁面２ａ（内殻２０１１）から輻射される量子波を、増強することもできる。
【００５３】
量子波発生器４は、パーソナルコンピュータなどで実現される量子エネルギーのコントロール装置７によって、その発生量子波のエネルギーが制御される。コントロール装置７は、前記パーソナルコンピュータで実現される場合、操作パネル（キーボード）などとともに、表示画面を備えており、その表示画面で、赤外線カメラ６によって撮影された量子照射室２の内部の画像、すなわち被照射物の状況を確認できるようになっている。
【００５４】
量子照射室２は、地面から絶縁されているが、数μＡ〜数十μＡの低周波の微弱電流が、該量子照射室２から空中へ流れる。そこで、該量子照射室２と地面との間に高抵抗を入れて、前記微弱電流、したがって被照射物に照射される量子エネルギーを、適切に調整することも可能である。すなわち、装置の規模などに応じて、放電量を大きくすると、使用できるエネルギーが小さくなると言う具合である。
【００５５】
このようにして放射された量子波を被照射物が浴びると、該被照射物の原子核の変性を行うことができる。変性の結果、被照射物が、動物（肉、魚等）や植物（野菜、果物、生花等）の場合には、それらを活性化したり、鮮度を保持したり、成長を促進したりすることができ、樹脂など工業製品の場合には、紫外線に強くなったり、植物などを長持ちさせたり等、性質を変化することができる。量子としては、光子、電子、クウォーク、ニュートリノ等が挙げられる。
【００５６】
そして、本実施形態の量子照射室２およびそれを用いる量子照射システム１によれば、量子照射室２を、内部に量子波を輻射する金属筐体２０１に、高い効率で量子波を反射する半導体パウダー２０２２が練り込まれた樹脂パネル２０２を内張りして構成するので、量子波は、半導体パウダー２０２２を含む樹脂パネル２０２による繰返しの反射によって、該量子照射室２（チャンバー）内に効率的に封じ込められる。こうして、被照射物の原子核の変性を、効率的に行うことができる。
【００５７】
また、直方体状の量子照射室２は、前面扉２６によって、一側面が開閉可能に形成されるので、前記パレットごと、フォークリフトによって被照射物の出入れを行うことができ、天井を開閉する場合に比べて、出入れが容易である。また、変性すべき被照射物としては、食物や生物、工業製品などであり、人を収容する場合に懸念される密閉空間の弊害は無いので、その一側面を閉じることで、内部空間を密閉空間とし、量子波を外部に漏れ無く、効率的に照射することができる。
（実施の形態２）
図６は、本発明の実施の他の形態に係る量子照射システムに用いられる量子照射室２Ａの斜視図である。本実施形態は、量子照射室２Ａが上述の量子照射室２と異なるだけで、他の量子波発生器４やアンテナ５などは、上述の実施形態と同一であり、図６では省略している。また、量子照射室２Ａにおいて、量子照射室２に類似し、対応する部分には同一の参照符号に添字Ａを付して示している。
【００５８】
注目すべきは、この量子照射室２Ａでは、図４で示すような、金属筐体２０１および樹脂パネル２０２から成るパネル２０は、一側面および底面で開放されて、３つの側面（パネル２７Ａ，２８Ａ，２７Ａ）および天面（パネル２９Ａ）を有することである。直方体状の量子照射室には、少なくとも４面にパネル２０が設けられていれば、或る程度の量子波の封じ込めを行うことができる。
【００５９】
したがって、この量子照射室２Ａは、前述の密閉空間を形成しないものの、開放している側面を、たとえば前面として、そこから、扉２６の開け閉めの必要無く、前記パレットに搭載されるなどした被照射物を、容易に出し入れすることができ、サイクルタイムを短くすることができる。また、照射中に、内部の様子を観察することもできる。さらに、この量子照射室２Ａでは、底面にパネル２０が設けられていないことで、フォークリフトで直接乗り入れたり、レールやコンベアを敷設したりすることもでき、出し入れがさらに容易である。
【００６０】
この量子照射室２Ａは、低背に形成され、高さＨ１Ａ＝２００８ｍｍである。そのため、アンテナ３を収納するカバー３５Ａは、側面に設けられている。幅Ｗ１Ａ＝２１０８ｍｍ、幅Ｗ２Ａ＝１８０８ｍｍ、奥行きＤ１Ａ＝２１０ｍｍは、略同様である。この量子照射室２Ａでは、図６で示すように、樹脂パネル２０２Ａは、１０ｃｍ×１０ｃｍの正方形に形成される。
【符号の説明】
【００６１】
１    量子照射システム
１９    補強材
２，２Ａ    量子照射室
２ａ    内壁面
２０    パネル
２０１  金属筐体
２０１１    外殻
２０１２    内殻
２０２  樹脂パネル
２０２１    樹脂
２０２２    半導体パウダー
２１，２１Ａ    支柱
２２，２２Ａ    上フレーム
２３    上スペーサ
２４    下フレーム
２４１  外側フレーム
２４２  内側フレーム
２５，２５Ａ    脚台
２６    前面扉
２７，２７Ａ    側パネル
２８，２８Ａ    背面パネル
２９，２９Ａ    天井パネル
３０    床面パネル
３    アンテナ
３１    ケーブル
３３    ゴムシート
３５，３５Ａ    カバー
４    量子波発生器
４１    交流電源
４２    ＬＣ並列共振回路
４３    整流素子
４４    ケーブル
５    アンテナ
６    赤外線カメラ
７    コントロール装置
【図１】
2018006444.tif 000003
【図２】
2018006444.tif 000004
【図３】
2018006444.tif 000005
【図４】
2018006444.tif 000006
【図５】
2018006444.tif 000007
【図６】
2018006444.tif 000008